(57)【要約】【課題】プロジェクタ等のように高さ調整が備わる装置において、シンプルな構造で部品点数を低減しつつ所望の高さ調整機能を実現する技術を提供する。【解決手段】ユーザがレバー操作部３２を引き上げると、レバー部３０は、レバー回転軸３１を中心に、図示で時計回りに回動する。その動作に伴って、ロック用リブ３７は、脚ネジ部４１から離間する方向に動く。その結果、レバーロック溝部３３と脚ネジ部４１とが離間し、そのネジ嵌合の状態、つまりロック状態が解除される。再度ロック状態とするには、レバー操作部３２を離すことで、レバーヒンジ部３４の弾性復帰動作によって、レバー部３０はレバー回転軸３１を中心に、図示で反時計回りに回動する。その回動に伴って、ロック用リブ３７は脚部４０の脚ネジ部４１に当接するまで移動し、レバーロック溝部３３と脚ネジ部４１とがネジ嵌合してロック状態となる。【選択図】図４
2011112116.tif 000002
【特許請求の範囲】
【請求項１】
螺刻された軸部を備えた脚部を螺動させて支持対象物の高さを調整可能に支持するアジャスタであって、
前記支持対象物の外装に一体で筒状に形成され、前記脚部の軸部を挿通して保持する脚保持部と、
前記脚保持部の筒状の内部に回動可能に取り付けられ、取り付けられた状態において前記脚部の軸部とネジ嵌合するとともに、回動動作によって前記ネジ嵌合を解除するロック操作部と、
を備え、
前記ロック操作部は、ネジ嵌合を解除する回動動作がされたときに、撓み量が増加するように弾性変形するヒンジ部を備える
ことを特徴とするアジャスタ。
【請求項２】
前記ロック操作部が操作されていないロック状態で、前記ヒンジ部は撓んで、前記ネジ嵌合を強化するように作用していることを特徴とする請求項１に記載のアジャスタ。
【請求項３】
前記脚部に対して引き抜く方向に所定以上の力が作用した場合には、前記ネジ嵌合が解除され、前記脚部に対して押し込む方向に力が作用した場合には、前記ネジ嵌合が解除されないことを特徴とする請求項２に記載のアジャスタ。
【請求項４】
前記ロック操作部は、前記脚保持部に上下方向に回動可能に取り付けられるとともに、上方向に回動したときに、前記ネジ嵌合が解除されることを特徴とする請求項１から３までのいずれかに記載のアジャスタ。
【請求項５】
前記脚保持部は、箱状体であって、前記支持対象物の外装底面の一部を構成する底面と、前面が前記外装の正面において内部を露出する開口と、側面上部において前記ロック操作部を回動可能に取り付ける凹状形状または連通孔形状の取付部とを備え、
前記ロック操作部は、側面上部において前記取付部に取り付けられる回動軸部を有し、
前記取付部及び前記回動軸部の位置は、前記取付部に前記ロック操作部が取り付けられた状態において、前記脚部の前記軸部より前記開口側の位置にあることを特徴とする請求項４に記載のアジャスタ。
【請求項６】
前記脚保持部の前記ヒンジ部は、前記ロック操作部が取り付けられた状態において、前記脚部の前記軸部よりも前記開口側の位置から延出し、前記軸部よりも後方側まで達した位置で、前記底面に当接していることを特徴とする請求項５に記載のアジャスタ。
【請求項７】
請求項１から６までのいずれかに記載のアジャスタを備えることを特徴とするプロジェクタ。
【発明の詳細な説明】
【技術分野】
【０００１】
本発明は、アジャスタ及びプロジェクタに係り、例えば、プロジェクタ等の高さ調整に用いられるアジャスタ及びそのようなアジャスタを備えたプロジェクタに関する。
【背景技術】
【０００２】
プロジェクタには、一般に、高さや投影の上下方向の向きを調整するため、アジャスタを兼ねた脚（以下、単に「アジャスタ」という）が設けられている。このアジャスタには様々な形態があるが、よく採用される形態の一つとして、ユニット化されアジャスタを製品（プロジェクタ）にビスやツメ等で固定した構造がある（例えば、特許文献１参照）。そして、高さ調整の具体的手段としては、微調整用の手段として、ネジ構造による昇降手段と、比較的大きな調整用の手段として、上記ネジ構造におけるネジ嵌合状態を解除する手段とを併せ持った構造が用いられる。
【先行技術文献】
【特許文献】
【０００３】
【特許文献１】特開２００５−２９１４５８号公報
【発明の概要】
【発明が解決しようとする課題】
【０００４】
ところで、アジャスタに求められる機能として上記調整機能が最も重要であるが、一方で、製造工程の簡素化やコスト低減観点から、シンプルな構造が求められている。特許文献１に開示の技術では、部品点数を削減する為に、アジャスタの本体部分と高さ調整用のレバ−が１体化されている。しかしながら、部品点数自体は削減できてはいるものの、構造が複雑であり必ずしも製造コストの低減にはつながらず、実際の製品として採用するには難しく別の技術が求められていた。また、この技術は、アジャスタを所定の対象物の外装に対して外側からボルトやナット等によって固定される。このような構造は、プロジェクタにあっては好ましくないことが多く、外装部分からの突出形状を極力少なくしてプロジェクタ全体としてのコンパクトさを実現するには不向きであり、この観点でも別の技術が求められていた。
【０００５】
本発明の目的は、上記課題に鑑み、プロジェクタ等のように高さ調整が備わる装置において、シンプルな構造で部品点数を低減しつつ所望の高さ調整機能を実現する技術を提供することにある。
【課題を解決するための手段】
【０００６】
本発明に係る装置は、螺刻された軸部を備えた脚部を螺動させて支持対象物の高さを調整可能に支持するアジャスタであって、前記支持対象物の外装に一体で筒状に形成され、前記脚部の軸部を挿通して保持する脚保持部と、前記脚保持部の筒状の内部に回動可能に取り付けられ、取り付けられた状態において前記脚部の軸部とネジ嵌合するとともに、回動動作によって前記ネジ嵌合を解除するロック操作部と、を備え、前記ロック操作部は、ネジ嵌合を解除する回動動作がされたときに、撓み量が増加するように弾性変形するヒンジ部を備える。
また、前記ロック操作部が操作されていないロック状態で、前記ヒンジ部は撓んで、前記ネジ嵌合を強化するように作用してもよい。
また、前記脚部に対して引き抜く方向に所定以上の力が作用した場合には、前記ネジ嵌合が解除され、前記脚部に対して押し込む方向に力が作用した場合には、前記ネジ嵌合が解除されなくてもよい。
また、前記ロック操作部は、前記脚保持部に上下方向に回動可能に取り付けられるとともに、上方向に回動したときに、前記ネジ嵌合が解除されてもよい。
また、前記脚保持部は、箱状体であって、前記支持対象物の外装底面の一部を構成する底面と、前面が前記外装の正面において内部を露出する開口と、側面上部において前記ロック操作部を回動可能に取り付ける凹状形状または連通孔形状の取付部とを備え、前記ロック操作部は、側面上部において前記取付部に取り付けられる回動軸部を有し、前記取付部及び前記回動軸部の位置は、前記ロック操作部が取り付けられた状態において、前記脚部の前記軸部より前記開口側の位置にあってもよい。
また、前記脚保持部の前記ヒンジ部は、前記取付部に前記ロック操作部が取り付けられた状態において、前記脚部の前記軸部よりも前記開口側の位置から延出し、前記軸部よりも後方側まで達した位置で、前記底面に当接してもよい。
本発明の別の装置は、プロジェクタであって、上記のアジャスタを備えている。
【発明の効果】
【０００７】
本発明によれば、プロジェクタ等のように高さ調整が備わる装置において、シンプルな構造で部品点数を低減しつつ所望の高さ調整機能を実現する技術を提供することができる。
【図面の簡単な説明】
【０００８】
【図１】本実施形態に係る、プロジェクタの斜視図である。
【図２】本実施形態に係る、キャビネット下部に設けられるアジャスタの分解斜視図である。
【図３】本実施形態に係る、アジャスタを上から見た斜視図である。
【図４】本実施形態に係る、アジャスタの断面図である。
【図５】本実施形態に係る、レバー部と脚部とを示した斜視図である。
【図６】本実施形態に係る、レバー部の斜視図である。
【発明を実施するための形態】
【０００９】
次に、本発明を実施するための形態（以下、単に「実施形態」という）を、図面を参照して具体的に説明する。
【００１０】
図１は、本実施形態に係るプロジェクタ１００の正面下方向から見た斜視図である。プロジェクタ１００は、キャビネット上部１０とキャビネット下部２０の上下に分割可能なキャビネットを備える。キャビネット上部１０とキャビネット下部２０は、例えば、樹脂成型品である。そしてキャビネット（１０、２０）内部には、キャビネット正面から一部レンズを露出する投光レンズ１２と、内部に隠れて配置される駆動回路ユニットやＤＭＤシステムやＬＣＤシステム等の光学系、冷却ファンユニット及び電源回路等が備わる。以下、投光レンズ１２が露出する側が前方として説明する。
【００１１】
キャビネット下部２０には、底面２２の後側の両サイドに、後部ゴム脚部２５が取り付けられている。また、底面２２の前方中央及び正面２１の下側中央の位置に、高さを調整するためのアジャスタ９０が取り付けられている。アジャスタ９０は、脚部４０と、脚保持部５０と、レバー部３０とから構成されている。
【００１２】
詳細は後述するが、脚部４０は、底面２２に設けられた下部挿通孔５４から脚保持部５０に挿通し、内部でレバー部３０とネジ嵌合する。そして、脚部４０を回転させてネジ締め動作をすることで、脚部４０は昇降するので、脚部４０を所望の高さに調整することができる。なお、図１（ａ）が脚部４０を奥まで螺挿した状態で、プロジェクタ１００の前方の高さが最も低くなる。また、図１（ｂ）は、脚部４０が最も引き出された状態で、プロジェクタ１００の前方の高さが最も高くなる。また、キャビネット下部２０の正面２１における脚保持部５０の開口部分には、レバー部３０のレバー操作部３２（図３及び図４参照）が露出しており、レバー操作部３２に対する操作によってワンタッチでネジ嵌合状態を解除し、つまりロック状態を解除して、脚部４０を上下に大きく移動させることができる。以下、アジャスタ９０の構造について詳細に説明する。
【００１３】
図２は、キャビネット下部２０に設けられるアジャスタ９０の分解斜視図である。また、図３が、アジャスタ９０を上面から見た斜視図である。さらに、図４は、アジャスタ９０の断面図である。図５は、アジャスタ９０のレバー部３０及び脚部４０を抽出し、脚保持部５０を省いて示した斜視図である。さらに、図６は、レバー部３０の斜視図である。例えば図２に示すように、アジャスタ９０は、キャビネット下部２０に一体に形成された脚保持部５０と、その脚保持部５０に取り付けられる脚部４０及びレバー部３０から構成される。
【００１４】
脚保持部５０は、キャビネット下部２０の底面２２の前方中央及び正面２１の下側中央の位置に設けられている。具体的には、脚保持部５０は、キャビネット下部２０と一体となり内部に箱状の形状を呈している。この脚保持部５０は、キャビネット下部２０の正面２１の中央底部に矩形の前面開口５１を有し、レバー部３０を収容し配置可能になっている。この前面開口５１からレバー部３０が脚保持部５０内部に取り付けられる。なお、前面開口５１は、レバー部３０の操作に伴う動きを可能とする形状となっている。言い換えると、引き上げ動作が可能なように、外周部分の上側を段状にして余裕を持たせた寸法となっている。
【００１５】
また、図４に示すように、脚保持部５０の底面５２は、キャビネット下部２０の底面２２の一部を構成し、所定の位置に周囲が若干凸状になっている下部挿通孔５４が形成されている。さらに、上面５６には、下部挿通孔５４の真上に、同様に周囲が凸状になっている上部挿通孔５３が形成されている。上部挿通孔５３及び下部挿通孔５４は、後述する脚部４０の脚軸部４６の外径と略一致した寸法の円形開口となって、ロック解除状態において脚部４０の昇降動作が円滑に可能となっている。なお、箱状の形状には、背面５７が設けられているが、前面開口５１と同様に開口であってもよい。また、図３に示すように、側面５５の上側前方には、レバー部３０のレバー回転軸３１が回動可能に取り付けるための回転軸保持部５９が、連通孔として形成されている。
【００１６】
脚部４０は、上述の脚保持部５０の上部挿通孔５３及び下部挿通孔５４に挿通される脚軸部４６と、脚軸部４６が取り付けられる肉厚で略円盤状の脚接地部４５が設けられている。
【００１７】
また、脚軸部４６は、両端部の一部を除き、螺刻されており、レバー部３０に設けられたレバーロック溝部３３とネジ嵌合すると共に、脚接地部４５の回動操作によって螺動する。脚軸部４６の下側端部は脚接地部４５に取り付けられる。
【００１８】
また、脚軸部４６の上側端部は、縦方向に４分割されるとともに外側に向けた係止片が設けられ、上部挿通孔５３及び下部挿通孔５４へ挿通されるときに、内側方向に弾性変形すると共に、挿通後には弾性復帰し、上面５６（上部挿通孔５３の外周部分）に係止可能になって、レバーロック溝部３３によるロックが解除された状態になっても、脚部４０が脚保持部５０から抜け落ちない構造となっている。
【００１９】
レバー部３０は、樹脂成形部品であって、脚保持部５０の内部に収容され、脚部４０の昇降動作をロックすると共に、脚部４０を所定のピッチで螺動させることで、高さの調整が可能となっている。さらに、ロックを解除することで、大きな調整も可能とするものである。
【００２０】
そのための構造として、図４〜図６に示すように、レバー部３０は、前面側に正面視で略矩形に所定の厚さで形成されたレバー正面３８と、レバー正面３８の裏面から後方に延びて形成されたレバー底面３６及びレバー側面３５とを備える。また、レバー側面３５から延出するレバーヒンジ部３４と、またレバー正面３８と対向する位置に、レバー側面３５及びレバー底面３６から延出するロック用リブ３７とを備える。
【００２１】
レバー正面３８は、高さ方向略中央に、所定厚さの板状体で前方に延びるレバー操作部３２を備える。また、レバー正面３８の裏面から後方に延びるレバー側面３５は、両レバー側面３５の間隔が、脚軸部４６の直径より広く設けられて、例えば、脚保持部５０に取り付けられたときに、図５に示すように、脚軸部４６を抱え込むように、脚軸部４６の軸中心近傍まで延びている。
【００２２】
また、レバー側面３５の上部略中央には、外側方向に所定長突出する円柱状のレバー回転軸３１が設けられている。このレバー回転軸３１は、上述のように、脚保持部５０の回転軸保持部５９に回動可能に取り付けられて、レバー部３０を所望の位置に配置する。このとき、レバー正面３８は、キャビネット下部２０の正面２１と一致するか、若干奥まった位置に配置され、さらに、レバー操作部３２は、前面開口５１から若干突出して、操作しやすいようになっている。
【００２３】
さらに、両方のレバー側面３５それぞれにおいては、レバー回転軸３１の形成位置下側の領域であるレバー側面３５の下側略中央部分から、一旦僅かに下側に延びて更に後方に延びるレバーヒンジ部３４が形成されている。レバーヒンジ部３４は、ヒンジ本体３４ａとヒンジ作用端部３４ｂとから構成されている。ヒンジ本体３４ａは、レバー側面３５から延びる腕状の部位である。また、ヒンジ作用端部３４ｂは、ヒンジ本体３４ａの後方端部下側に半円形に突出した部位である。図４に示すように、レバー部３０が脚保持部５０に収容されたときに、ヒンジ作用端部３４ｂが、脚軸部４６を越えた底面５２の内面位置にちょうど当接するようになっている。また、レバー操作部３２が操作されてレバー回転軸３１を中心に回動するときに、ヒンジ作用端部３４ｂの高さ位置が固定されることから、ヒンジ本体３４ａが撓むようになっている。なお、レバー部３０の操作に伴う各構成要素の動き等については後述する。
【００２４】
レバー正面３８の裏面から延びるレバー底面３６は、高さ方向の略中央より若干低い位置から、つまり、レバー側面３５の下側位置に対応した位置から延出している。これは、前述のレバーヒンジ部３４の形状に対応したものである。延出長さは、レバー底面３６の後方端部がちょうど下部挿通孔５４の外周に届くようになっている。なお、ここでは、レバーヒンジ部３４の延出開始位置よりも若干後側まで延びている。そして、後方端部から上方向に所定長だけロック用リブ３７が延びている。ロック用リブ３７の後方側の面には、レバーロック溝部３３が形成され、ちょうど、脚部４０の脚ネジ部４１に形成された螺刻とネジ嵌合する形状になっている。また、レバー部３０が操作されてレバーロック溝部３３を傾けて解除する動作の際に、動作を阻害しないように、ロック用リブ３７の上部は、脚軸部４６の外径に対応させて一部取り除かれている。
【００２５】
以上の構成によるアジャスタ９０の各要素の動作及び作用について簡単に説明する。
脚部４０とレバー部３０が脚保持部５０に取り付けられておりレバー部３０が操作されない通常状態にあっては、脚部４０のロック用リブ３７が、脚部４０の脚ネジ部４１の外周面に接する。より具体的には、ロック用リブ３７のレバーロック溝部３３が、脚ネジ部４１にネジ嵌合しロック状態となっている。このとき、レバーヒンジ部３４のヒンジ作用端部３４ｂが底面５２の内面に当接し、さらに、レバーヒンジ部３４が若干撓んで付勢力が作用するようになっている。したがって、脚部４０がキャビネット下部２０（脚保持部５０）に対して下方向に動こうとしても、ユーザが引っ張る等の操作をしない限りレバーロック溝部３３と脚ネジ部４１のネジ嵌合及び上記付勢力によってネジ嵌合の状態が強化されて移動が阻止される。ただし、ユーザが所定以上の力で脚部４０を引っ張った場合には、レバー部３０への操作がない場合であってもネジ嵌合が外れて移動することが可能となっている。
【００２６】
一方で、脚部４０の高さを調整したい場合は、微調整であれば、ユーザは、上述のごとく、脚接地部４５を回転させることで、脚部４０を螺動させ所望の高さに調整する。大きく移動させて調整する場合には、ユーザは、レバー部３０を操作してロック状態を解除する必要がある。具体的には、ユーザがレバー操作部３２を引き上げると、レバー部３０は、レバー回転軸３１を中心に、図４では時計回りに回動する。このとき、レバーヒンジ部３４のヒンジ本体３４ａは撓むので、ヒンジ作用端部３４ｂが底面５２に当接して動きが規制されても、レバー部３０は回動できる。そして、その動作に伴って、ロック用リブ３７は、脚ネジ部４１から離間する方向に動く。その結果、レバーロック溝部３３と脚ネジ部４１とが離間し、そのネジ嵌合の状態、つまりロック状態が解除される。ロックが解除された状態で、ユーザは、脚部４０を所望の位置に大きく動かすことができる。そして、再度ロック状態とするには、レバー操作部３２を離すことで、レバーヒンジ部３４の弾性復帰動作によって、レバー部３０はレバー回転軸３１を中心に、図示で反時計回りに回動する。その回動に伴って、ロック用リブ３７は脚部４０の脚ネジ部４１に当接するまで移動し、レバーロック溝部３３と脚ネジ部４１とがネジ嵌合してロック状態となる。
【００２７】
本実施形態によると、アジャスタ９０を非常に少ない部品点数でかつシンプルな構成で実現できるため、組立て工程の簡素化やコストダウンを図ることができる。また、アジャスタ９０の脚部４０の位置固定を単にネジ嵌合で実現するだけでなく、レバーヒンジ部３４による弾性力を用いて強固としているので、簡易的な構成で、ロック状態を強化することができる。また、レバー部３０を持ち上げてロック解除状態とする構成であるため、ロック解除したときに、プロジェクタ１００を押さえつけて脚部４０が内部に挿入してしまってプロジェクタ１００を接地面に落としてしまうことがなく、高さ調整を非常に効率的に行うことができる。また、レバーヒンジ部３４の長さは、求める撓み量や付勢力の大きさ等に応じて適宜設定することができ、脚軸部４６より前にヒンジ作用端部３４ｂが位置してもよい。ただし、レバー操作部３２の回動量やユーザが加える力の観点から、ヒンジ作用端部３４ｂは、上記実施形態のように脚軸部４６よりも後方に位置することが好ましい。また、回動量つまりレバー部３０の操作量を調整するために、回転軸保持部５９及びレバー回転軸３１の形成位置を脚軸部４６側にずらしてもよい。
【００２８】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。なお、本アジャスタ９０は、プロジェクタ１００に限らず、各種計測機器やテーブル等にも適用することができる。
【符号の説明】
【００２９】
１０  キャビネット上部
２０  キャビネット下部
３０  レバー部
３１  レバー回転軸
３２  レバー操作部
３３  レバーロック溝部
３４  レバーヒンジ部
３４ａ  ヒンジ本体
３４ｂ  ヒンジ作用端部
３５  レバー側面
３７  ロック用リブ
３８  レバー正面
４０  脚部
４１  脚ネジ部
４６  脚軸部
５０  脚保持部
５９  回転軸保持部
９０  アジャスタ
１００  プロジェクタ
【図１】
2011112116.tif 000003
【図２】
2011112116.tif 000004
【図３】
2011112116.tif 000005
【図４】
2011112116.tif 000006
【図５】
2011112116.tif 000007
【図６】
2011112116.tif 000008